【事件の表示】
　平成１１年特許願第１６６３５４号「スコア管理システム、スコア管理サーバ、および、情報記録媒体」拒絶査定不服審判事件〔平成１２年１２月１９日出願公開、特開２０００−３５０８０１〕について、次のとおり審決する。
【結　論】
　本件審判の請求は、成り立たない。
【理　由】
 　
第１ 手続の経緯
　本願は、平成１１年６月１４日の出願であって、平成２１年８月２４日付けで手続補正がなされ、同年１０月３０日付けで拒絶査定がなされ、これに対し、平成２２年２月３日付けで拒絶査定に対する審判請求がなされると同時に明細書に係る手続補正がなされたものである。
　さらに、審査官により作成された前置報告書について審尋がなされたところ、審判請求人から平成２２年８月９日付けで回答書が提出されたものである。
　
　
第２ 平成２２年２月３日付けの手続補正についての補正却下の決定
［補正却下の決定の結論］
　平成２２年２月３日付けの手続補正（以下「本件補正」という。）を却下する。
 
［理由］
１ 補正の内容
　本件補正は、特許請求の範囲を補正する内容を含んでおり、本件補正により、特許請求の範囲の請求項１は、
「　携帯電話によりなる移動端末と、これに無線通信網ならびにインターネットを介して接続されるスコア管理サーバと、を備えるスコア管理システムであって、
　（ａ）前記スコア管理サーバは、
　プレイヤが属するグループと、当該プレイヤのスコアと、を表すスコア情報を記憶し、
　前記移動端末から送信されるスコア状況の表示要求を受け付け、
　前記受け付けられた表示要求を送信した移動端末を識別し、当該識別された移動端末を所有するプレイヤが属するグループに属する各プレイヤについて前記記憶されたスコア情報に基づいて、スコア状況と、当該グループに属する各プレイヤのスコアを入力すべき入力領域と、の表示情報を、当該識別された移動端末に送信し、
　前記移動端末から送信されるスコア情報の入力要求を受け付け、
　前記受け付けられたスコア情報の入力要求を送信した移動端末を識別し、当該識別された移動端末を所有するプレイヤが属するグループに属する各プレイヤについて、前記受け付けられたスコア情報の入力要求に基づいて前記記憶したスコア情報を更新し、
　（ｂ）前記移動端末は、前記スコア管理サーバにスコア状況の表示要求を送信し、
　前記スコア管理サーバから送信されるスコア状況の表示情報を受け付け、
　前記受け付けたスコア状況の表示情報に基づいてスコア状況と、当該移動端末を所有するプレイヤが属するグループに属する各プレイヤのスコアを入力すべき入力領域と、を表示し、
　前記表示された入力領域に対するプレイヤからの入力に基づいて、前記スコア管理サーバにスコア情報の入力要求を送信する
　ことを特徴とするスコア管理システム。」
から
「　携帯電話によりなる移動端末と、これに無線通信網ならびにインターネットを介して接続されるスコア管理サーバと、を備えるゴルフスコア管理システムであって、
　（ａ）前記スコア管理サーバは、
　プレイヤが属するパーティと、当該プレイヤのスコアと、を表すスコア情報を記憶し、
　前記移動端末から送信されるスコア状況の表示要求を受け付け、
　前記受け付けられた表示要求を送信した移動端末を識別し、前記記憶されたスコア情報に基づいて上位のプレイヤのスコアならびに当該識別された移動端末を所有するプレイヤの順位情報を含むようにスコア状況を生成し、当該生成されたスコア状況と、当該識別された移動端末を所有するプレイヤが属するパーティに属する各プレイヤのスコアを入力すべき入力領域と、の表示情報を、当該識別された移動端末に送信し、
　前記移動端末から送信されるスコア情報の入力要求を受け付け、
　前記受け付けられたスコア情報の入力要求を送信した移動端末を識別し、当該識別された移動端末を所有するプレイヤが属するパーティに属する各プレイヤについて、前記受け付けられたスコア情報の入力要求に基づいて前記記憶したスコア情報を更新し、
　（ｂ）前記移動端末は、前記スコア管理サーバにスコア状況の表示要求を送信し、
　前記スコア管理サーバから送信されるスコア状況の表示情報を受け付け、
　前記受け付けたスコア状況の表示情報に基づいてスコア状況と、当該移動端末を所有するプレイヤが属するパーティに属する各プレイヤのスコアを入力すべき入力領域と、を表示し、
　前記表示された入力領域に対するプレイヤからの入力に基づいて、前記スコア管理サーバにスコア情報の入力要求を送信する
　ことを特徴とするゴルフスコア管理システム。」（審決注：「
ゴルフ
ゴルフ
に補正された。
　上記補正は、補正前の請求項１に記載した発明を特定するために必要な事項である「スコア管理システム」、「グループ」及び「当該識別された移動端末を所有するプレイヤが属するグループに属する各プレイヤについて前記記憶されたスコア情報に基づいて、スコア状況と、当該グループに属する各プレイヤのスコアを入力すべき入力領域と、の表示情報を、当該識別された移動端末に送信し」を、それぞれ、「ゴルフスコア管理システム」、「パーティ」及び「前記記憶されたスコア情報に基づいて上位のプレイヤのスコアならびに当該識別された移動端末を所有するプレイヤの順位情報を含むようにスコア状況を生成し、当該生成されたスコア状況と、当該識別された移動端末を所有するプレイヤが属するパーティに属する各プレイヤのスコアを入力すべき入力領域と、の表示情報を、当該識別された移動端末に送信し」と補正して、「ゴルフ」用である点を限定するとともに、「表示情報」について限定したものであるから、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　　
２ 独立特許要件について
（１）刊行物に記載された発明
　原査定の拒絶の理由に引用文献２として引用された特開平３−５１０６７号公報（以下「刊行物１」という。）には、次の記載がある（下線は審決で付した。以下同じ。）。
　
（１−ａ）「２　特許請求の範囲
（１）　
ゴルフ場管理センターに設置されてデータ処理を行うホストシステムと
　
可搬型データ端末装置と
　コース中に配置される、大型画面を持った表示端末装置とを備え、
　
上記可搬型データ端末装置及び上記ホストシステムは、無線によるデータ送受信機能を有し
　また、上記表示端末装置は、無線によるデータ受信機能を有し、
　
ゴルフプレイ中、プレイヤーは上記可搬型データ端末装置にスコアデータを入力して、センターの上記ホストシステムに無線送信し
　
ホストシステムは、上記可搬型データ端末装置から送信されたスコアデータを受信して処理し、処理結果のデータを無線送信し
　
上記可搬型データ端末装置
は、ホストシステムから送信された処理結果のデータを受信して、表示する
ゴルフ場データ管理システム
　
（１−ｂ）「〔産業上の利用分野〕
　本発明は、ホール終了毎にプレイヤーから無線送信されてくるスコアデータを管理センターのホストシステムが受信し、データ処理した後プレイヤーに順位データ等を送信するゴルフ場のデータ管理システムに関し、スコアデータの送受信、データ処理、コース情報の提供等のサービスを実時間で行うものである。
〔従来技術〕
　従来、ゴルフのスコアは、プレイ中にプレイヤーが個別に所持するスコアシートに手書きし、ラウンド終了後各々が本部へ持ち帰って報告するようにしているのが一般的であった。
〔発明が解決しようとする課題〕
　
手書きでスコアシートに記入する方式は、スコアの計算や、集計に時間や人手を要して、効率的でなく、またプレイ途中に中間結果を随時即時的に知ることが困難であった
　本発明は、
スコアの処理を迅速かつ効率化するとともに、中間結果を実時間で報知し、さらに総合的情報サービスが可能なゴルフ場データ管理システムを提供することを目的とする
　
（１−ｃ）「〔作用〕
　上記本発明の基本的システムの機能を次に説明する。
　
ゴルフコース上のプレイヤーは、スコアデータを、手元の可搬型データ端末装置１１に入力する
ホール終了毎に、入力データをホストシステム１０に送信する
　ホストシステム１０は、コース上の多数の可搬型データ端末装置１１からのデータの受信要求を常時ポーリング等により監視していて、可搬型データ端末装置１１から送られてくるスコアデータを受信すると実時間でデータ処理し、データを記憶する。
　同様に、
可搬型データ端末装置１１のデータ送信要求信号を受信すると即時に順位等のデータを送信する
　
プレイヤーは、必要に応じて、自己や他のメンバーの順位等の中間結果をホストシステム１０に無線要求し、データを受信すると可搬型データ端末装置の表示部１１−２により確認する
　
（１−ｄ）「〔実施例〕
　第２図ないし第１４図により本発明の詳細な説明する。
　第２図は、本発明実施例の全体システムの構成図である。
　第２図における
データ管理システムは、ホストシステム１０、携帯型データ端末装置１１’
より構成する
　ホストシステム１０は、携帯型データ端末装置１１’からの送信データを受信する無線送受信部１０−２、受信データを処理するデータ処理部１０−１、処理データを表示する表示部１０−３、処理データを印刷するプリンタ１０−４、１０−５より成る。
　
コース上のプレイヤーは、携帯型データ端末装置１１’にスコアデータを入力し、ホストシステム１０にデータを送信する
　　
携帯型データ端末装置１１’は、データの送受信機能、コースデータ表示機能の他に、補助機能として係員を呼び出す機能を備えている
　
（１−ｅ）「　第５図は、本発明の実施例の携帯型データ端末装置におけるプレイ前処理の入力フローである。
　(1)は、プレイ前にコースを指定し、プレイヤーの会員ナンバーを入力するプレイ前処理である。
　(2)は、スコア入力方式の選択処理で、ホール一括入力方式か、各打毎入力方式の選択をする。
　第６図の（ａ）、（ｂ）は、本発明の実施例の携帯型データ端末装置におけるデータ入力のフローであり、第５図のＩ、IIに続く。
　（ａ）はホール一括入力方式の場合のフローであり、(3)、(4)の処理からなる。　(3)は、
各プレイヤーのホール終了後の各プレイヤーのスコアーを一括入力する処理である
　
（１−ｆ）「〔発明の効果〕
　本発明によれば、従来一般的であった手書きでは煩わしいスコア記入、計算、報告作業を省略できる。
ホストシステムは、ホール終了毎に送信されてくるスコアデータを、実時間で処理するので、プレイヤーの順位状況、進行状況を常時把握できる
　又
プレイヤーは、手元の携帯型データ端末装置により、必要なときに順位情報、コース情報を簡単な操作で即時に得られるので、プレイの興味が倍加する
　さらに、ホストシステムは、スコアデータを蓄積し、データベースとして活用することができる。」（第５頁左下欄第１行〜第１３行）
　
（１−ｇ）第２図として、
「
 
　　　　　　　　　　　　　　　　　　　　　　　　　　」
　
（１−ｈ）第３図として、
「
 
　　　　　　　　　　　　　　　　　　　　　　　　　　」
　
（１−ｉ）第６図として、
「
　　　　　　　　　　　　　　　　　　　　　　　　　　」
　
　上記摘記事項（１−ｅ）の「(3)は、
各プレイヤーのホール終了後の各プレイヤーのスコアーを一括入力する処理である
　　
　上記の事項をまとめると、刊行物１には、次の発明（以下「刊行物１発明」という。）が開示されていると認められる。
　
「ゴルフ場管理センターに設置されてデータ処理を行うホストシステムと、
　携帯型データ端末装置とを備え、
　上記携帯型データ端末装置及び上記ホストシステムは、無線によるデータ送受信機能を有し、
　ゴルフプレイ中、プレイヤーは上記携帯型データ端末装置に同じパーティに属する全プレイヤーのスコアデータを入力して、センターの上記ホストシステムに無線送信し、
　ホストシステムは、上記携帯型データ端末装置から送信されたスコアデータを受信して処理し、自己や他のメンバーの順位等の中間結果のデータを無線送信し、
　上記携帯型データ端末装置は、ホストシステムから送信された前記中間結果のデータを受信して、表示する、ゴルフ場データ管理システム。」
　
（２）対比
　本願補正発明と刊行物１発明とを対比する。
　
ア　刊行物１発明の
「携帯型データ端末装置」、
「（ゴルフ場管理センターに設置されてデータ処理を行う）ホストシステム」、
「プレイヤー」、
「スコアデータ」、
「自己や他のメンバーの順位等の中間結果のデータ」、
「ゴルフ場データ管理システム」は、それぞれ、
　本願補正発明の
「移動端末」、
「スコア管理サーバ」、
「プレイヤ」、
「スコア（スコア情報）」、
「（プレイヤの順位情報を含む）スコア状況」、
「ゴルフスコア管理システム」に相当する。
　
イ　刊行物１発明は、「上記携帯型データ端末装置及び上記ホストシステムは、無線によるデータ送受信機能を有」しており、「
中間結果をホストシステム１０に無線要求し、データを受信
補助機能として係員を呼び出す機能を備えている
　してみると、
　刊行物１発明の
「ゴルフプレイ中、プレイヤーは上記携帯型データ端末装置に同じパーティに属する全プレイヤーのスコアデータを入力して、センターの上記ホストシステムに無線送信」する構成、
「上記携帯型データ端末装置は、ホストシステムから送信された前記中間結果のデータを受信して、表示する」構成、及び、
「ホストシステムは、上記携帯型データ端末装置から送信されたスコアデータを受信して処理し、自己や他のメンバーの順位等の中間結果のデータを無線送信」する構成は、それぞれ、
　本願補正発明の
「プレイヤからの入力に基づいて、前記スコア管理サーバにスコア情報の入力要求を送信する」構成、
「前記移動端末は、前記スコア管理サーバにスコア状況の表示要求を送信し、
　前記スコア管理サーバから送信されるスコア状況の表示情報を受け付け」る構成、及び、
「『前記スコア管理サーバは』『前記受け付けられた表示要求を送信した移動端末を識別し、前記移動端末から送信されるスコア状況の表示要求を受け付け』『前記記憶されたスコア情報に基づいて』『スコア状況を生成し、当該生成されたスコア状況』『の表示情報を、当該識別された移動端末に送信』」する構成に相当する。
　
ウ　刊行物１発明において、各「移動端末（携帯型データ端末装置）」によって同じパーティのプレイヤのスコアを登録するのであるから、「スコア管理サーバ（ホストシステム）」が「プレイヤが属するパーティと、当該プレイヤのスコアと、を表すスコア情報を記憶」することも当然の事項である。
　
エ　上記アないしウから、本願補正発明と刊行物１発明とは、
「　移動端末と、これに接続されるスコア管理サーバと、を備えるゴルフスコア管理システムであって、
　（ａ）前記スコア管理サーバは、
　プレイヤが属するパーティと、当該プレイヤのスコアと、を表すスコア情報を記憶し、
　前記移動端末から送信されるスコア状況の表示要求を受け付け、
　前記受け付けられた表示要求を送信した移動端末を識別し、前記記憶されたスコア情報に基づいてスコア状況を生成し、当該生成されたスコア状況の表示情報を、当該識別された移動端末に送信し、
　前記移動端末から送信されるスコア情報の入力要求を受け付け、
　前記受け付けられたスコア情報の入力要求を送信した移動端末を識別し、前記受け付けられたスコア情報の入力要求に基づいて前記記憶したスコア情報を更新し、
　（ｂ）前記移動端末は、前記スコア管理サーバにスコア状況の表示要求を送信し、
　前記スコア管理サーバから送信されるスコア状況の表示情報を受け付け、
　前記受け付けたスコア状況の表示情報に基づいてスコア状況を表示し、
　プレイヤからの入力に基づいて、前記スコア管理サーバにスコア情報の入力要求を送信する
　ゴルフスコア管理システム。」
の点で一致し、以下の点で相違する。
　
［相違点１］：
　「移動端末」及び「スコア管理サーバ」に関して、
　本願補正発明は、「移動端末」が「携帯電話によりなる移動端末」であって、「スコア管理サーバ」と「移動端末」とが「無線通信網ならびにインターネットを介して」接続されるのに対し、
　刊行物１発明は、「スコア管理サーバ」と「移動端末」とは「無線」で接続されるものの、上記の特定がない点。
　
［相違点２］：
　「スコア状況」に関して、
　本願補正発明は、「上位のプレイヤのスコアならびに当該識別された移動端末を所有するプレイヤの順位情報を含むように」「スコア状況」を生成するのに対し、
　刊行物１発明は、その特定がない点。
　　
［相違点３］：
　「スコア管理サーバ」から「移動端末」に送信される「表示情報」に関して、
　本願補正発明は、「表示情報」が「スコア状況」に加えて、「当該移動端末を所有するプレイヤが属するパーティに属する各プレイヤのスコアを入力すべき入力領域」であるのに対し、
　刊行物１発明は、その特定がない点。
　　
（３）判断
　上記相違点１ないし３について検討する。
（３−１）相違点１について
ア　平成１１年２月から株式会社エヌ・ティ・ティ・ドコモ（NTT docomo）によって「ｉモードサービス」が開始されており、また、ＷＷＷブラウザ機能及び電子メール機能を有する携帯電話も本願出願前によく知られていた（例．特開平１１−４６２４５号公報及び特開平１１−９８２５４号公報参照。）ことから、本願出願時において、インターネットに接続可能な携帯電話を用いたシステムは周知であったといえる。
　 
イ　刊行物１発明に記載の「移動端末」（端末機）は、「ゴルフスコア管理」に特化した専用機といえる。
　しかしながら、専用の「移動端末」に代えて汎用の「移動端末」を採用すればコストや利用者の利便性の点で有利であることは当業者にとって明らかであるから、「移動端末」として、汎用の「移動端末」である「ＷＷＷブラウザ機能及び電子メール機能を有する携帯電話」を採用することは、当業者が適宜なし得る設計的事項である。
　 
ウ　「スコア管理サーバ」と「移動端末」とを備える「ゴルフスコア管理システム」において、「移動端末」として「ＷＷＷブラウザ機能及び電子メール機能を有する携帯電話」を採用すれば、「スコア管理サーバ」と「移動端末」とは、「無線通信網ならびにインターネットを介して」接続されることとなる。
　
エ　上記アないしウから、刊行物１発明において、相違点１に係る本願補正発明の構成となすことは、当業者が上記アの周知の事項に基づいて容易になし得たことである。
　　
（３−２）相違点２について
ア　刊行物１には、「
又プレイヤーは、手元の携帯型データ端末装置により、必要なときに順位情報、コース情報を簡単な操作で即時に得られるので、プレイの興味が倍加する
　
イ　してみると、刊行物１発明は、本願補正発明と同様に、「全プレイヤのスコア状況をリアルタイムに見ることができ、ゲームの緊迫感を増すことができ、ゲーム終了時の順位発表を迅速に行うことができる」（本願明細書段落【００７５】）ものといえる。
　
ウ　そして、同じパーティの全てのプレイヤのスコア及び順位情報とともに、上位のプレイヤのスコアを表示することは、適宜採用できる設計的事項であるから、刊行物１発明において、「前記記憶されたスコア情報に基づいて上位のプレイヤのスコアならびに当該識別された移動端末を所有するプレイヤの順位情報を含むようにスコア状況を生成」する構成を採用することは、当業者が適宜なし得たことである。
　
エ　したがって、刊行物１発明において、相違点２に係る本願補正発明の構成となすことは、当業者が適宜なし得たことである。
　
（３−３）相違点３について
ア　ＷＷＷブラウザ機能によってＨＴＭＬを表示する際に、情報送信のための入力領域（ＨＴＭＬ入力フォーム）を設けることは、文献等を提示するまでもなく、周知の技術的事項である。
　
イ　刊行物１発明においても、「同じパーティに属する全プレイヤのスコアデータを入力」するのであるから、「移動端末」で「当該移動端末を所有するプレイヤが属するパーティに属する各プレイヤのスコアを入力すべき入力領域」を表示することは、「移動端末」として「ＷＷＷブラウザ機能及び電子メール機能を有する携帯電話」を採用することに伴う、当業者が適宜採用できる設計的事項である。
　
ウ　したがって、刊行物１発明において、相違点３に係る本願補正発明の構成となすことは、当業者が適宜なし得たことである。
　
（３−４）本願補正発明が奏する効果について
　相違点１ないし３によって本願補正発明が奏する効果は、刊行物１に記載された事項から予測し得る程度のものであって、格別のものではない。
　
（３−５）請求人の主張について
　請求人は、請求の理由において、
『本願請求項１、３に係る発明は、以下の特徴を有します。 
 　（１）各プレイヤは、携帯電話によりスコアを入力すること。 
 　（２）各プレイヤは、自身のスコアのみならず、当該パーティに属する他のプレイヤのスコアも入力すること。 
 　（３）したがって、
あるプレイヤについてのスコアは、当該プレイヤのみならず、他のプレイヤによっても重複して入力されること
 　（４）プレイヤに対して提供されるスコア状況は、成績上位のプレイヤのスコア、ならびに、当該移動端末を所有するプレイヤの順位情報を含むが、当該移動端末を所有するプレイヤが属するパーティの他のプレイヤの順位情報は、必ずしも含まないこと。 
 　また、本願請求項２に係る発明は、以下の特徴を有します。 
 　（５）
あるプレイヤについて重複して入力されたスコアが間違っている場合には、スコアを入力したプレイヤに対して再入力を促すこと
　回答書において、
『審判請求人は、請求項１において、
プレイヤーが携帯電話を使用して、自身の順位情報ならびに上位のプレイヤのスコアを確認すると同時に自身が属するパーティの各プレイヤーのスコアの入力を促される旨を明らかにしております
 　自身の順位情報や上位のプレイヤのスコアを確認するためには、各プレイヤが移動端末からスコアを入力する必要があるので、請求項１に係る発明においても、
各プレイヤが自身の携帯端末を使用することを前提としております
　・・・（中略）・・・
　しかしながら、本願発明では、各プレイヤは、自身のパーティ内のすべてのプレイヤのスコアを入力する際には、自身の順位情報と上位のプレイヤのスコアとを対比することが可能となります。 
 　さらに、アマチュアゴルファーが４名程度でラウンドするときに、自己を含めてパーティ内のすべてのプレイヤのスコアを記録することが一般に行われている、とのご認定についてですが、
スコアの確認は、口頭で周知するレベルであり、記載された数値が同一かどうかをお互い確認するようなことは実施されません
　
ア　請求項１には、「あるプレイヤについてのスコアは、当該プレイヤのみならず、他のプレイヤによっても重複して入力される」との特定がないから、該主張は、請求項１の記載に基づかないものである。
　
イ　仮に、本願発明が、他のプレイヤによっても重複して入力され、スコアが間違っている場合には、スコアを入力したプレイヤに対して再入力を促すものであったとしても、刊行物１発明において、各プレイヤが随時個別に順位を確認したいとのニーズも当然あるから、各プレイヤが個別に携帯型データ端末装置を携帯することによって重複入力を許容することは、当業者が適宜採用できる事項である。
　また、該重複入力されたスコアが間違っていた場合に再入力を促すことも、重複入力の許容に伴うエラー処理として当業者が適宜なし得る設計的事項である。
　
ウ　以上のとおり、請求人の上記主張は採用できない。
　
（４）まとめ
　以上のとおり、本願補正発明は、当業者が刊行物１に記載された発明に基づいて容易に発明をすることができたものであるから、特許法第２９条第２項の規定により、特許出願の際独立して特許を受けることができない。
　
３ 補正却下の決定についてのむすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３ 本願発明について
１ 本願発明
　平成２２年２月３日付けの手続補正は上記のとおり却下されたので、本願の請求項１〜８に係る発明は、平成２１年８月２４日付けの手続補正によって補正された特許請求の範囲の請求項１〜８に記載された事項により特定されるものであり、特に、請求項１に係る発明（以下「本願発明」という。）は、次のとおりである。
　
「　携帯電話によりなる移動端末と、これに無線通信網ならびにインターネットを介して接続されるスコア管理サーバと、を備えるスコア管理システムであって、
　（ａ）前記スコア管理サーバは、
　プレイヤが属するグループと、当該プレイヤのスコアと、を表すスコア情報を記憶し、
　前記移動端末から送信されるスコア状況の表示要求を受け付け、
　前記受け付けられた表示要求を送信した移動端末を識別し、当該識別された移動端末を所有するプレイヤが属するグループに属する各プレイヤについて前記記憶されたスコア情報に基づいて、スコア状況と、当該グループに属する各プレイヤのスコアを入力すべき入力領域と、の表示情報を、当該識別された移動端末に送信し、
　前記移動端末から送信されるスコア情報の入力要求を受け付け、
　前記受け付けられたスコア情報の入力要求を送信した移動端末を識別し、当該識別された移動端末を所有するプレイヤが属するグループに属する各プレイヤについて、前記受け付けられたスコア情報の入力要求に基づいて前記記憶したスコア情報を更新し、
　（ｂ）前記移動端末は、前記スコア管理サーバにスコア状況の表示要求を送信し、
　前記スコア管理サーバから送信されるスコア状況の表示情報を受け付け、
　前記受け付けたスコア状況の表示情報に基づいてスコア状況と、当該移動端末を所有するプレイヤが属するグループに属する各プレイヤのスコアを入力すべき入力領域と、を表示し、
　前記表示された入力領域に対するプレイヤからの入力に基づいて、前記スコア管理サーバにスコア情報の入力要求を送信する
　ことを特徴とするスコア管理システム。」
　
２ 引用刊行物
　これに対して、原査定の拒絶の理由に引用された刊行物１、及び、その記載事項は、前記第２　２（１）で示したとおりである。
　
３ 対比・判断
　本願発明は、上記第２　２で検討した本願補正発明から、「ゴルフスコア管理システム」、「パーティ」及び「前記記憶されたスコア情報に基づいて上位のプレイヤのスコアならびに当該識別された移動端末を所有するプレイヤの順位情報を含むようにスコア状況を生成し、当該生成されたスコア状況と、当該識別された移動端末を所有するプレイヤが属するパーティに属する各プレイヤのスコアを入力すべき入力領域と、の表示情報を、当該識別された移動端末に送信し」を、それぞれ、「スコア管理システム」、「グループ」及び「当該識別された移動端末を所有するプレイヤが属するグループに属する各プレイヤについて前記記憶されたスコア情報に基づいて、スコア状況と、当該グループに属する各プレイヤのスコアを入力すべき入力領域と、の表示情報を、当該識別された移動端末に送信し」に戻して、「ゴルフ」用である点及び「表示情報」についての限定を削除したものである。
　
　そうすると、本願発明の特定事項を全て含み、さらに他の特定事項を付加したものに相当する本願補正発明が、上記第２　２に記載したとおり、当業者が刊行物１に記載された発明に基づいて容易に発明をすることができたものであるから、本願発明も、同様の理由により、当業者が刊行物１に記載された発明に基づいて容易に発明をすることができたものである。
　
４ むすび
　以上のとおり、本願の請求項１に係る発明は、当業者が刊行物１に記載された発明に基づいて容易に発明をすることができたものであるから、特許法第２９条第２項の規定により特許を受けることができない。
　したがって、その他の請求項に係る発明について検討するまでもなく、本願は拒絶すべきものである。
　
　よって、結論のとおり審決する。